(57)【要約】【課題】入金者が警備開始操作から所定時間後までの間にブースにて入金者の照合がなされない場合に異常判定するブース管理システムを提供する。【解決手段】店舗内の異常を検出するセンサと店舗の警備開始を設定するモード設定手段と警備開始信号を監視センタに送信する制御手段とを有した警備装置と、入金者の出入り用の開閉手段と入金者用入力手段とを有したブースと、入金機は警備開始信号を受信する受信手段と警備開始信号を受信すると所定時間計時する計時手段と計時手段がタイムアップするまでに入金者照合の適正な処理がなされているか否かを判定する入金機制御手段とを有する。【選択図】図１
2006018366.tif 000002
【特許請求の範囲】
【請求項１】
店舗に設けられた警備装置と、入金機を収容するブースとからなるブース管理システムにおいて、
前記警備装置は、店舗等の警備モードを設定するモード設定手段と、設定された警備モード信号を通信網を介して送信する制御手段とを有し、
前記ブースは、出入口に設けられた開閉手段と、入金者用入力手段とを有し、
前記入金機は通信網を介して警備開始信号を受信する受信手段と、入金者情報を記憶する入金者記憶手段と、前記受信手段が前記警備開始信号を受信すると所定時間計時する計時手段と、入金機制御手段を有し、前記入金機制御手段は、前記計時手段の計時中に前記入金者用入力手段から受信した入金者情報と前記入金者記憶手段に記憶された入金者情報とを照合して、正当な入金者と判定したときに前記開閉手段を開放可能とすることを特徴とするブース管理システム。
【請求項２】
前記警備装置及び前記入金機と通信回線を介して接続された監視センタを有し、前記警備装置の制御手段は、前記監視センタに警備モード信号を送信し、前記監視センタは、前記入金機へ当該店舗等の警備開始信号を送信する送信手段を有することを特徴とする請求項１記載のブース管理システム。
【請求項３】
前記警備装置の制御手段は、前記入金機へ当該店舗等の警備開始信号を送信することを特徴とする請求項１記載のブース管理システム。
【請求項４】
前記入金機は、外部に信号を送信する送受信手段を有し、
前記入金機制御手段は、前記計時手段の計時中に前記入金者用入力手段から受信した入金者情報と前記入金者記憶手段に記憶された入金者情報とを照合して、正当な入金者と判定しないときには、入金者異常信号を前記送受信手段を介して外部に送信することを特徴とする請求項１記載のブース管理システム。
【発明の詳細な説明】
【技術分野】
【０００１】
本発明は、入金機が設置されているブースの出入管理に関し、特に顧客の警備開始信号を利用して警備開始時刻から所定時間の間に適正な入力操作があるとき、ブースの出入口の開閉手段を開放するブース管理システムに関する。
【背景技術】
【０００２】
従来、入金者は店舗の売上金を夜間金庫に投入し、投入された売上金は金融機関や警備会社によって安全を確保されている。しかし、入金者が夜間金庫の窓口に行き投入するまでの安全確保は入金者自身に任され、入金者が入金途中に襲われても夜間での行動のためすぐに発見されない可能性がある。
そこで、この入金者の危険を軽減するため、入金機を繁華街やコンビニエンスストアなどの極力人目に付き、また入金者の行動が入金目的であることが判りにくい場所を選んで配置したりしている。
【０００３】
さらに、入金者は、入金が必要になった時点に入金機を収容するブースへ立ち寄り、利用カードをカードリーダに読み込ませ、ブースのドアより入館することができる。
【０００４】
【特許文献１】特許公開番号２００３−１４１６０８号
【発明の開示】
【発明が解決しようとする課題】
【０００５】
しかしながら、入金機を常に上記のような人目につく場所や入金者の行動が入金行為として特定されにくい場所に配置できるとは限らず、入金者の不安は解消されていないという問題があった。また、仮に第三者が利用カードを拾得または盗取して保有さえすれば時間的制約を受けずにいつでもブース内に入館することができ、入金機の破壊や他の入金者の入り待ちを行なう可能性があった。
【０００６】
本発明者たちは、当日の売上金を入金機に入金する入金担当者が警備開始操作を行う店舗等の最終者となる場合が多いことに着目した。
【０００７】
そこで本発明は、上述した課題を解決するために、入金者が所定時間内にブース入館の適正な入力操作を行ったときにブースの開閉手段の開放が可能となるブース管理システムを提供することを目的としている。
【課題を解決するための手段】
【０００８】
上記目的を達成するために、本発明によるブース管理システムは、店舗に設けられた警備装置と、入金機を収容するブースとからなるブース管理システムにおいて、前記警備装置は、店舗等の警備モードを設定するモード設定手段と、設定された警備モード信号を通信網を介して送信する制御手段とを有し、前記ブースは、出入口に設けられた開閉手段と、入金者用入力手段とを有し、前記入金機は通信網を介して警備開始信号を受信する受信手段と、入金者情報を記憶する入金者記憶手段と、前記受信手段が前記警備開始信号を受信すると所定時間計時する計時手段と、入金機制御手段を有し、前記入金機制御手段は、前記計時手段の計時中に前記入金者用入力手段から受信した入金者情報と前記入金者記憶手段に記憶された入金者情報とを照合して、正当な入金者と判定したときに前記開閉手段を開放可能とすることを特徴としている。
【発明の効果】
【０００９】
本発明のブース管理システムによれば、警備開始操作から所定時間の間に適正なブース入力操作が行われたときに入金者がブースに入館できるが、入金の必要性の無い時間帯には入金者が無闇にブースに入館できないので安全性が保たれる。
【発明を実施するための最良の形態】
【００１０】
以下、本発明によるブース管理システムの実施の形態について図面を参照して具体的に説明する。
【００１１】
図１は、本発明のブース管理システムの全体構成を示す図である。本発明のブース管理システムは、店舗１内に配置された警備装置と、通信網２を介して店舗１の異常・正常を監視している監視センタ４と入金機３０が設置されているブース３等を有して構成される。
【００１２】
店舗内１には警備装置が配設され、警備装置は、店舗１の侵入異常等を検出するため所定箇所に配置されたセンサ１０と、店舗１の警備モードを警備開始（セット）や警備終了（解除）に設定するモード設定手段１１と、センサ１０の検出信号を受信したとき現在設定されている警備モードに応じて異常・正常を判断して異常と判断したときには異常信号を、またモード設定手段１１により新たな警備モードが設定されたときのモード信号（例えばセット信号や解除信号）を通信網２を介して監視センタ４に送信する制御手段１２を有して構成される。また、セット操作時に未警戒箇所があればその旨図示しない表示手段に表示される。なお、センサ１０は侵入・火災・ガス漏れ等を検出するものであり、モード設定手段１１はボタンや、カードとカードリーダなどで構成される。
【００１３】
次に、ブース３について説明する。
ブース３には、入金機３０が設置され、入金者の入退室のための開閉手段である扉３１と入金者の照合を行うための入金者照合を行うための入力手段３２等が設けられている。
【００１４】
入金機３０について説明する。
入金機３０は入金者が入金処理するための操作部３００と、紙幣と硬貨を各々投入するための挿入口３１０と、入金された金額などを表示する入金機表示手段３２０と、入力手段３２により入金者情報を受理し入金者の照合を行うとともに入金者照合が所定時間内に行われたか否かを判定する入金機制御手段３３０と、店舗１毎の入金者の各ＩＤを記憶し入金機ＩＤなどを記憶するとともに監視センタ４からの店舗１のセット信号を一時記憶する入金機記憶手段３４０と、監視センタ４または店舗１からのセット信号を受信するとともに入金データを図示しない資金管理センタに送信する入金機送受信手段３５０と、入金者が投入した金額を計数する計数手段３６０と、入金者にて投入された紙幣及び貨幣を保管する保管庫３７０と、入金機制御手段３３０がセット信号を受信した場合セット時刻情報から所定時間計時する計時手段３８０とを有して構成される。なお、入力手段３２による入金者情報を照合する制御手段を入金機制御手段３３０と一体として説明したがこれは別体であってもよい。
【００１５】
操作部３００は、入金処理の開始時に操作する入金ボタン３０１と、入金者または入金者の所属する店舗に対し予め付与されている顧客ＩＤ番号を入力するテンキーボタン３０２と、入金者が投入した紙幣及び硬貨の全部が計数できなかったとき等に返金要請する際に操作される返金ボタン３０３と、入金処理が適正に行われたときに入力する確定ボタン３０４等から構成されている。なお、入金者のＩＤ照合はテンキーボタン３０２に代わりＩＤカードの操作としても良い。
【００１６】
監視センタ４は、店舗１からの異常信号やモード信号をまた入金機３０からの入金者異常信号などを通信網２を介して受信し、警備開始モード信号を所定の入金機３０に送信する送受信手段４０と、顧客ごとに設定されている現在の警備モード、現在の正常や異常の状態、顧客ごとの所定時間、緊急連絡先などを記憶するセンタ記憶手段４２と、セット信号を受信したとき顧客の利用する入金機を割り出すセンタ制御手段４１と、異常信号やモード信号を受信したときに表示するセンタ表示手段４３とを有して構成される。監視センタ４の管制員は、センタ表示手段４３にて異常が表示されると所定の対処員に適切な対処を指示する。
【００１７】
本発明のブース管理システムの動作について図２から図４を参照して説明する。
まず、店舗でのセット時のモード操作について、図２を用いて説明する。
店舗１の入金者は、店舗１が全て無人となる際にモード設定手段１１を介してセット操作する（ステップ１）。制御手段１２は扉や窓等が全て閉鎖されているか否かを判断する（ステップ２）。未警戒箇所がないときには安全が確保されているとして警備開始（セット）状態へ移行する（ステップ４）。制御手段１２は新たな警備モードとしてセットを記憶する（ステップ５）。なお、未警戒箇所があれば未警戒箇所を表示し、再度のセット操作を促しセットモードに移行しない（ステップ３）。制御手段１２は、顧客ＩＤを含むセット信号を通信網２を介して監視センタ４に送信する（ステップ６）。
【００１８】
次に、図３を参照して監視センタ４のセンタ制御手段４１の動作フローを説明する。
センタ制御手段４１は送受信手段４０を介して店舗（顧客）１からのセット信号を受信する（ステップ１０）。センタ制御手段４１はセット信号をセンタ記憶手段４２に送信し、センタ記憶手段４２にてセットモードを記憶する（ステップ１１）。センタ制御手段４１は受信したセット信号から顧客の利用する入金機３０を割り出す（ステップ１２）。センタ制御手段４１は割り出した入金機３０に顧客ＩＤを含むセット情報を送信する。（ステップ１３）なお、ここでは便宜上セット情報としたが顧客ＩＤと時刻情報があれば特にセット信号でなくとも良い。
【００１９】
次に、図４を参照してブース管理について入金機制御手段３３０の動作フローを説明する。
入金機制御手段３３０は、入金機送受信手段３５０を介して監視センタ４からの所定時間（計時時間）情報と顧客のＩＤ情報を含んだセット情報を受信した場合（ステップ３０）、入金機記憶手段３４０に一時的にセット時刻と計時時間情報を記憶する（ステップ３１）。入金機制御手段３３０は、受信した計時時間情報を計時手段３８０に設定し計時手段３８０を起動する（ステップ３２）。なお、セット情報を受信した時刻をセット時刻情報としてもよい。この場合送信されるセット情報にはセット操作時刻情報がない。また顧客ごとに予め所定時間情報を入金機記憶手段３４０に記憶させておいてもよい。この場合、セット情報には所定時間情報はない。さらに、セット情報に計時する所定時間情報を有していなくとも、例えば全ての顧客に一定の時間を予め入金機記憶手段３４０に記憶させておいても良い。
【００２０】
入金機制御手段３３０は、計時手段３８０のタイムアップまでに入金者照合が適正に行われたか否かを判定する（ステップ３３、３４、３７）。
入金者はブース３の出入口付近にて、予め付与されている顧客用カードを入力手段であるカードリーダ３２に入力すると、入金者情報が入金機制御手段３３０に送信される（ステップ３３）。入金機記憶手段３４０に記憶されている顧客情報と比較照合し（ステップ３４）、一致していれば扉３１に設置されている図示しない電気錠に開錠信号を送信する（ステップ３５）。そこで、入金者は、扉３１を開け入館することが可能となる。そして、入金機記憶手段３４０に一時記憶されたセット時刻情報をクリアーする（ステップ３６）。入金機計時手段３４０のタイムアップ時までに入金者照合が適正に行われていない場合（ステップ３７：ＹＥＳ）、入金者異常として入金機表示手段３２０に報知するとともに入金機送受信手段３５０を介して監視センタ４に異常情報を送信する（ステップ３８）。
【００２１】
前述のように、入金機３０は監視センタ４からセット情報を受信している実施態様で説明したが、これは店舗１の制御手段１１から直接セット信号（所要時間情報を含む）を受信するようにしても良い。
【００２２】
また、前述のように、入金機３０に全ての構成を含んだ実施態様で説明したが、入金機制御手段３３０、入金機送受信手段３５０、入金機記憶手段３４０、計時手段３８０は入金機３０と別体の装置であってもよい。
【００２３】
さらに、前述のように、所定時間を顧客ごとに予めセンタ記憶手段に設定入力している実施態様で説明したが、所定の計時時間は全ての顧客が同じであっても良い。
【００２４】
また、前述のように、計時手段の計時中に入金者照合が適正に行われなかった場合、再度入金者照合を待つように実施態様では説明しているが、この場合入金者異常信号を監視センタにお送信するようにしても良い。
【図面の簡単な説明】
【００２５】
【図１】本発明の入金者管理システムの全体構成を示す図
【図２】セット操作のフロー図
【図３】監視センタの動作フロー図
【図４】ブース制御動作フロー図
【符号の説明】
【００２６】
１・・・店舗（顧客）
２・・・通信網
３・・・ブース
４・・・監視センタ
３０・・入金機
３８・・・計時手段
【図１】
2006018366.tif 000003
【図２】
2006018366.tif 000004
【図３】
2006018366.tif 000005
【図４】
2006018366.tif 000006